(57)【要約】【課題】スクリーン使用状態では、その表面を平面化することができ、良好な投射画像を得ることのできるスクリーンを提供すること。【解決手段】ほぼ水平方向に延在する複数のスラット３と、各スラット３を所定間隔にかつ平行に保持するとともに、各スラット３を開閉動作させるラダーコード７とを備え、スラット３は、各スラット３が閉じた状態で、平面となる平面部５を備えている。このとき、スラット３の支持部４の前後側にラダーコード７を設けているので、スクリーン使用状態では、前側コード９がスラット３の平面部５と支持部４との間に挟まれ、後側コード８が支持部４の裏面側に位置することになり、前面側にはラダーコード７が露出しない。【選択図】図３
2008197202.tif 000002
【特許請求の範囲】
【請求項１】
複数のスラットと、略水平方向にそれぞれ延在するとともに鉛直方向に配列された状態の前記複数のスラットを開閉動作させる開閉装置とを備え、
前記複数のスラットを構成する各スラットは、平坦面を有し略水平方向に延在する第１部分と、前記第１部分の短手方向に連接されて略水平方向に延在する第２部分とを含み、
前記複数のスラットが前記開閉装置によって閉状態とされた場合に、前記複数のスラットは、隣接する一方のスラットの前記第１部分が、隣接する他方のスラットの前記第２部分の前側に前記平坦面を前面にして配置される、
スクリーン。
【請求項２】
前記複数のスラットを構成する前記第１部分は、前記閉状態において、前記開閉装置を前側から覆うように配置される請求項１記載のスクリーン。
【請求項３】
前記複数のスラットを構成する各スラットは、前記第１部分と前記第２部分との間に、前記閉状態において前記第１部分を前記第２部分よりも前側に突出させる段部を有する請求項１及び請求項２のいずれか一項記載のスクリーン。
【請求項４】
前記複数のスラットを構成する各スラットは、前記第１部分の短手方向の端部に、前記各スラットに隣接する他のスラットの前記段部及びその近傍を前記閉状態において前側から覆うカバー部分を有する請求項３記載のスクリーン。
【請求項５】
前記閉状態において、隣接する一方のスラットの前記第１部分と、隣接する他方のスラットの前記第２部分との間に配置され漏れ光を遮る遮光手段をさらに備える請求項１から請求項４のいずれか一項記載のスクリーン。
【請求項６】
前記遮光手段は、反射低減用の表面コートを含む請求項５記載のスクリーン。
【請求項７】
前記開閉装置は、複数のラダーコードを有し、
前記複数のラダーコードはそれぞれ、前記複数のスラットの長手方向に関して略同一位置で短手方向に関して異なる位置にそれぞれ直接的に又は間接的に前記スラットと連結される複数のコードを有する請求項１から請求項６のいずれか一項記載のスクリーン。
【請求項８】
前記複数のスラットは、前記複数のコードのうち少なくとも１本を通す挿通孔をそれぞれ有する請求項７記載のスクリーン。
【請求項９】
前記複数のコードのうち少なくとも１本は、前記閉状態において、隣接する一方のスラットの前記第１部分と、他方のスラットの前記第２部分との間に挟まれる請求項８記載のスクリーン。
【請求項１０】
前記複数のスラットは、前記閉状態において隣接する一方のスラットの前記第１部分と、他方のスラットの前記第２部分との間に挟まれるコードを収納する溝をそれぞれ有する請求項９記載のスクリーン。
【請求項１１】
前記開閉装置は、前記複数のコード間で前記第２部分を支持するように延びる横糸を有する請求項７から請求項１０のいずれか一項記載のスクリーン。
【請求項１２】
前記横糸は、前記第２部分に固定されている請求項１１記載のスクリーン。
【請求項１３】
前記複数のコードの少なくとも一本は、前記スラットに直接的に固定されている請求項７から請求項１２のいずれか一項記載のスクリーン。
【請求項１４】
請求項１から請求項１３のスクリーンと、
前記スクリーンに画像を投射するプロジェクタ本体と
を備えるプロジェクタシステム。
【発明の詳細な説明】
【技術分野】
【０００１】
本発明は、投射用のスクリーン及びプロジェクタシステムに係り、特に、窓用ブラインドとしても利用することができる画像投射用のスクリーン及びプロジェクタシステムに関する。
【背景技術】
【０００２】
従来から、建物の窓部分を被覆し、窓から入射する光を遮光するためのブラインドが多用されている。
【０００３】
このようなブラインドは、一般に、樹脂や金属で形成された複数のスラットを備えており、スラットが縦方向に撓まないようにするため、スラットの断面を略翼状に形成することにより、剛性を保っている。さらに、ブラインドの前面側及び裏面側には、スラットの開閉動作とスラットを支持するためのラダーコードが備えられている。
【０００４】
そのため、ブラインドをプロジェクタ装置のスクリーンとして使用した場合に、遮光の目的でスラットを立てて閉状態にしても、複数のスラットがなす面が平面状にならず、しかも、ラダーコードがブラインドの前面に露出してしまうことから、ブラインドに画像を投射しても、投射面の凹凸により、良好な画質を得ることができなかった。
【０００５】
一方、従来から、ブラインドのスラットに偏光フィルムを積層し、スクリーンとして利用する技術が開示されている（例えば、特許文献１参照）。
【特許文献１】特開平７−１６８２８１号公報
【発明の開示】
【発明が解決しようとする課題】
【０００６】
しかしながら、上記特許文献１に記載の発明は、ブラインドのスラットに偏光フィルムを積層し、スクリーンとして利用することを開示しているが、ブラインドの平面化に関しては何ら考慮しておらず、やはり、投射面の凹凸により、良好な投射画質を得ることができないという問題を有している。
【０００７】
そこで、本発明は、窓部分の遮光を行うことができるとともに、スクリーン使用状態では、その表面を平面化することができ、良好な投射画像を得ることのできるスクリーン及びプロジェクタシステムを提供することを目的とする。
【課題を解決するための手段】
【０００８】
上記課題を解決するため、本発明に係るスクリーンは、複数のスラットと、略水平方向にそれぞれ延在するとともに鉛直方向に配列された状態の複数のスラットを開閉動作させる開閉装置とを備え、複数のスラットを構成する各スラットは、平坦面を有し略水平方向に延在する第１部分と、第１部分の短手方向に連接されて略水平方向に延在する第２部分とを含み、複数のスラットが開閉装置によって閉状態とされた場合に、複数のスラットは、隣接する一方のスラットの第１部分が、隣接する他方のスラットの第２部分の前側に平坦面を前面にして配置される。ここで、前側とは、スクリーンの正面側であって、窓に設置されるブラインドとして考えた場合、室内側を意味する。
【０００９】
上記スクリーンにおいて、各スラットを閉状態に保持した状態で、隣接する一方のスラットの第１部分が隣接する他方のスラットの第２部分の前側に配置されるので、隣接するスラットの重複によって窓からの外光を遮光することができる。また、各スラットの閉状態において、第２部分の前側に第１部分の平坦面が配置されるので、各スラットの平坦面を組み合わせた全体として平面状の投射面を得ることができ、スクリーン使用状態とすることができる。
【００１０】
本発明の別の態様では、上記スクリーンにおいて、複数のスラットを構成する第１部分が、閉状態において、開閉装置を前側から覆うように配置される。この場合、開閉装置が各第１部分の平坦面全体によって形成される投射面の後方又は背後に隠されるので、スクリーンとしての平坦性が増す。
【００１１】
本発明のさらに別の態様では、複数のスラットを構成する各スラットが、第１部分と第２部分との間に、閉状態において第１部分を第２部分よりも前側に突出させる段部を有する。この場合、いずれかのスラットを構成する第１部分の短手方向の端部が隣接するスラットの段部の窪み側に収容されて、スクリーンとしての凹凸が減少し平坦性を確保することができる。また、段部は、スラットの長手方向に関する撓みを低減する形状補強機能を有する。
【００１２】
本発明のさらに別の態様では、複数のスラットを構成する各スラットが、第１部分の短手方向の端部に、各スラットに隣接する他のスラットの段部及びその近傍を閉状態において前側から覆うカバー部分を有する。この場合、カバー部分によってスラットのつなぎ目を目立たなくすることができ、スクリーンの平坦性を一層良好なものとできる。
【００１３】
本発明のさらに別の態様では、開状態において、隣接する一方のスラットの第１部分と、隣接する他方のスラットの第２部分との間に配置され漏れ光を遮る遮光手段をさらに備える。この場合、窓の外からの外光が閉状態の各スラットの隙間から室内側に漏れ込むことが防止され、各スラットの平坦面からなる投射面に背後から漏れ出した外光によって投射像が劣化することを防止できる。
【００１４】
本発明のさらに別の態様では、遮光手段が反射低減用の表面コートを含む。この場合、この場合、簡易に遮光を確保することができる。
【００１５】
本発明のさらに別の態様では、開閉装置が、複数のラダーコードを有し、複数のラダーコードはそれぞれ、複数のスラットの長手方向に関して略同一位置で短手方向に関して異なる位置にそれぞれ直接的に又は間接的にスラットと連結される複数のコードを有する。この場合、各スラットの短手方向に配置されたコードによって、各スラットの長手方向に沿った軸まわりの回転が可能なり、各スラットを一括した簡易な開閉が可能になる。
【００１６】
本発明のさらに別の態様では、複数のスラットが、複数のコードのうち少なくとも１本を通す挿通孔をそれぞれ有する。この場合、コードを第１部分の平坦面の背後に通す経路を確保し易くなり、ラダーコードを投射面側に配置しない構成が簡易に可能になる。
【００１７】
本発明のさらに別の態様では、複数のコードのうち少なくとも１本が、閉状態において、隣接する一方のスラットの第１部分と、他方のスラットの第２部分との間に挟まれる。この場合、上記少なくとも１本コードを第１部分と第２部分との間に挟んで隠すことができる。
【００１８】
本発明のさらに別の態様では、複数のスラットが、閉状態において隣接する一方のスラットの前記第１部分と、他方のスラットの前記第２部分との間に挟まれるコードを収納する溝をそれぞれ有する。この場合、各スラットを閉状態に保持した状態で、ラダーコード分の突起や浮き上がりが発生することを防止できる。
【００１９】
本発明のさらに別の態様では、開閉装置が、複数のコード間で第２部分を支持するように延びる横糸を有する。この場合、横糸によって第２部分の支持と移動の規制とが可能になり、スラットの開閉状態を保つことができる。
【００２０】
本発明のさらに別の態様では、横糸が、第２部分に固定されている。この場合、横糸を第２部分に確実に固定することができ、横糸がスラットすなわちスクリーンの前面側に現れることを簡易に避けることができる。
【００２１】
本発明のさらに別の態様では、複数のコードの少なくとも一本が、スラットに直接的に固定されている。この場合、ラダーコードとスラットとの固定が確実なものとなり、スラットの姿勢保持も容易である。
【００２２】
また、本発明に係るプロジェクタシステムは、上述のスクリーンと、スクリーンに画像を投射するプロジェクタ装置とを備えている。
【００２３】
上記プロジェクタ装置においては、各スラットを閉状態に保持したスクリーン使用状態で、各スラットの平坦面により投影面を平面状に保持することができるので、プロジェクタ装置による良好な投射画像を得ることができる。
【発明を実施するための最良の形態】
【００２４】
以下、本発明の一実施形態について図面を参照して説明する。図１は、本発明に係るプロジェクタシステムの実施形態を示す概略図である。また、図２は、本発明に係るスクリーンの実施形態の使用状態における正面図であり、図３は、図２に示すスクリーンの開閉状態を示す側面図であり、図４は、図２に示すスクリーンの一部の開状態を示す斜視図である。
【００２５】
本実施形態のプロジェクタシステムは、図１に示すように、室内ＲＭの窓Ｗ部分を被覆するように配置され前面側に投射面１ａを形成することができるスクリーン１と、室内ＲＭの天井部分ＣＥに設置されスクリーン１に対して所望の画像を投射するプロジェクタ装置２とから構成されている。
【００２６】
本実施形態のスクリーン１は、図２から図４に示すように、略水平方向に延在する長尺の多数のスラット３と、各スラット３を支持する数条のラダーコード７とを備えている。なお、本実施形態においては、便宜上、スクリーン１に関して、建物の室内ＲＭ側を前側、窓側を後側として説明する。
【００２７】
このスクリーン１を構成する一群のスラット３は、ほぼ鉛直方向に所定間隔をもって配列されており、各スラット３は、第２部分である支持部４と、この支持部４の連接された第１部分である平面部５とを備えている。支持部４と平面部５とは、ともに略水平方向に延在する長尺の板状の外形を有し、互いに短手方向に隣接して略平行に配置されている。結果的に、スラット３全体としても細長い板状部材としての外観を有する。
【００２８】
また、スラット３には、そのスラット３が水平に延びる水平状態において支持部４に対して平面部５が高い位置となるように、支持部４と平面部５との境界において段部６が形成されている。この段部６は、スラット３が鉛直又は垂直に延びる垂直状態において平面部５を支持部４よりも前側に突出させる。そして、各スラット３がほぼ水平状態に保持された状態で、窓Ｗからの外光を取り入れる開状態とされ、各スラット３の平面部５が下方に隣接するスラット３の支持部４に重なるように縦方向に保持された垂直状態で、窓Ｗからの外光を遮断する閉状態とされ、この閉状態がスクリーン使用状態とされている。
【００２９】
支持部４と平面部５との境界に形成された段部６は、スラット３が閉じたスクリーン使用状態において、下方に隣接するスラット３の支持部４の前側に重なる平面部５表面がほぼ面一に保持されるように、スラット３の平面部５の厚さを受け入れることができる程度の段差寸法に形成されている。つまり、各スラット３の閉状態すなわちスクリーン使用状態において、隣接する他方のスラット３の支持部４の前側に隣接する一方のスラット３の平面部５の平坦面５ａが重ねて配置されるので、各スラット３の平坦面５ａを合わせた全体として平面状の投射面（スクリーン）を得ることができる。
【００３０】
なお、各スラット３の平坦面５ａには、スクリーンとしての表面処理が施されている。すなわち、平坦面５ａには、スクリーン面としてのビーズ面、パール面、マット面等を実現できる表面塗装が施されている。
【００３１】
スラット３の長手方向に関する中央部分及び両端部分には、それぞれ３組のラダーコード７が配設されており、各ラダーコード７は、その短手方向に関して異なる位置に、後側コード８と前側コード９とを備える。後側コード８は、スラット３の支持部４の後端側に配置され、前側コード９は、スラット３の支持部４の前側縁を貫通する。つまり、前側コード９は、支持部４の前側縁であってスラット３の段部６近傍に形成された挿通孔としての貫通孔４２に通され、後述する横糸１０ａ，１０ｂを利用して間接的に連結されている。これにより、閉状態において前側コード９を平面部５の背後に通す経路を確保し易くなり、ラダーコード７を平坦面５ａすなわち投射面側に全く配置しない構成が簡易に可能になる。各ラダーコード７を構成する後側コード８と前側コード９との間には、スラット３の支持部４の上下面に位置する２本の横糸１０ａ，１０ｂが掛け渡されて支持部４の短手方向両端で後側コード８と前側コード９とに固定されている。この２本の横糸１０ａ，１０ｂにより、スラット３とラダーコード7とが間接的に連結され、ラダーコード７によって支持部４が支持又は保持されるように構成されている。そして、支持部４のみでスラット３を支持する構造のため、スラット３の平面部５の重量により、スラット３の支持部４と前側コード９との交点を支点として支持部４に上方または下方に移動しようとする力が加わるが、スラット３の上下面に位置する横糸１０ａ，１０ｂにより、この支持部４の移動力、すなわちスラット３の開閉運動を規制するようになされている。
【００３２】
スラット３を長手方向において３カ所で支持する３組のラダーコード７の上端部は、上部支持板１１にそれぞれ接続されて吊持されており、ラダーコード７の下端部は、スラット３の最下端部に位置しラダーコード７に対して下方への引張力を付与する荷重板１２に接続されている。上部支持板１１の一端側には、不図示の引上げコードを利用して荷重板１２を昇降動作させるためのロープ１３が取付けられている。上部支持板１１のロープ１３の取付け位置に隣接した個所には、回転動作によりラダーコード７の前側コード９と後側コード８とを相対的に昇降させてスラット３の開閉動作を行う開閉棒１４が取付けられている。以上で説明した、ラダーコード７は、全スラット３を一括して開閉動作させる開閉装置として機能し、ラダーコード７に上部支持板１１、開閉棒１４等を加えたものは、各スラット３を鉛直方向に等間隔で配列するとともに各スラット３の開閉を可能にする支持装置として機能している。
【００３３】
図５は、本発明に係るプロジェクタシステムに適用されるプロジェクタ装置２の実施形態を概念的に示すブロック図である。
【００３４】
このプロジェクタ装置２は、光学系や電気回路を本体ケース２０ａに収納したものであり、本体ケース２０ａの内部には、光学エンジンユニットとも呼ばれる主光学装置２１と、ランプ光源等に電力を供給する電源装置２２と、ランプ光源等を空冷するための冷却ファンユニット２３と、装置全体の動作を制御するための回路装置２４とが収容されている。なお、説明の便宜上、図５の回路装置２４は、本体ケース２０ａ外に表示されているが、実際は、本体ケース２０ａ内において主光学装置２１等の上方に配置されている。
【００３５】
このうち、主光学装置２１は、画像形成及び画像投射用の映像光学装置として機能し、光源光を均一化した照明光を発生する光源装置３１と、光源装置３１を経た照明光を赤・緑・青の３色に分離する分離照明系３２と、分離照明系３２から射出された各色の照明光によって照明される光変調部３３と、光変調部３３を経て輝度変調されたた各色の変調光を合成するクロスダイクロイックプリズム３４と、クロスダイクロイックプリズム３４から射出された像光を投射するための本体ケース２０ａの前面に露出された投射レンズ２５とを備えている。
【００３６】
ここで、光源装置３１は、光源光束を形成するランプ部３１ａと、このランプ部３１ａから射出された光源光を均一で所定の偏光方向の照明光に変換する均一化光学系３１ｂとを備えている。分離照明系３２は、第１及び第２ダイクロイックミラー３２ａ，３２ｂを備え、照明光を赤色光ＬＲ、緑色光ＬＧ、及び青色光ＬＢの３つの光束に分離するように構成されている。光変調部３３は、３色の照明光ＬＲ，ＬＧ，ＬＢがそれぞれ入射する３つの液晶ライトバルブ３３ｒ，３３ｇ，３３ｂを備え、回路装置２４からの駆動信号に応じて各色光ＬＲ，ＬＧ，ＬＢを画素単位で強度変調するように構成されている。クロスダイクロイックプリズム３４は、交差するダイクロイック膜３４ａ，３４ｂを備えており、各液晶ライトバルブ３３ｒ，３３ｇ，３３ｂからの変調光を合成した像光ＩＬを射出するものである。投射レンズ２５は、クロスダイクロイックプリズム３４で合成された像光ＩＬを適当な拡大率でスクリーン１上にカラー画像として投射するものである。
【００３７】
なお、プロジェクタ本体２０の前面には、所望のリモコン操作信号を受けるリモコン受光部２６が配置されている。
【００３８】
次に、本実施形態のスクリーン１の作用について説明する。スクリーン１をブラインドとして使用する場合、図３（Ａ）及び図４に示すように、各スラット３がその前面を上側にして略水平に延びる状態で、窓Ｗからの外光を取り入れる開状態とされ、この状態で、窓Ｗから外光を取り入れることができる。
【００３９】
一方、この開状態から、開閉棒１４を回転操作してラダーコード７の前側コード９を下方に、後側コード８を上方に動作させることにより、各スラット３の平面部５が下方に揺動され、図３（Ｂ）に示すように、このスラット３の平面部５が隣接するスラット３の支持部４に重なり合う閉状態に保持される。この状態で、窓からの外光を遮光することができ、また、各スラット３の平面部５がほぼ面一となり、すなわち各スラット３の平面部５が縦方向に隙間無く配列される。つまり、閉状態の平面部５の平坦面５ａ全体として平面状の投射面を形成させるので、スクリーン１は、スクリーン使用状態となる。このとき、本実施形態においては、スラット３の支持部４の前後側にラダーコード７を設けているので、スクリーン使用状態では、前側コード９がスラット３の平面部５と支持部４との間に挟まれ、後側コード８が支持部４の裏面側に位置することになり、前面側にはラダーコード７が露出しない。
【００４０】
そして、スクリーン１が閉状態となって投射面を形成するスクリーン使用状態になると、リモコン等を利用してプロジェクタ装置２を起動し、その主光学装置２１、回路装置２４等を適宜動作させて、スクリーン１に対して所望の画像を投射する。
【００４１】
したがって、本実施形態のスクリーン１によれば、スラット３の平面部５により、スクリーン１使用状態において投射面を略滑らかな平面に保持することができ、しかも、ラダーコード７を平面部５の裏面側に位置させることができるので、プロジェクタ装置２による良好な投射画像を得ることができる。
【００４２】
なお、この発明は、上述の実施形態に限られるものではなく、その要旨を逸脱しない範囲において種々の態様で実施することが可能であり、例えば次のような変形も可能である。
【００４３】
例えば、図６に示すように、各スラット３の平面部５の短手方向の端部すなわち平面部５の端縁に、隣接する他のスラット３の平面部５との間隙部分を被覆するシール部材４０を取り付けるようにしてもよい。すなわち、シール部材４０は、平面部５の端縁に、閉状態において隣接する他のスラット３の段部６及びその近傍を前側から覆うカバー部分として機能する。このシール部材４０は、その先端部が鋭角状となるように先細り形状を有しており、段部６から下方に延びる平面部５の根元側と密着する。このように構成することにより、スクリーン使用状態において、シール部材４０により隣接するスラット３の平面部５の間に形成される間隙部分を被覆することができ、垂直方向に配列された一連のスラット３に対応する一連の平面部５の境界が目立たなくなり、よりスクリーン１の平面化を図ることができる。
【００４４】
なお、図６の場合において、平面部５の裏面５ｒと支持部４の前面４ｆとの間に遮光手段である黒塗装等の反射防止用の表面コートを施すこともできる。この場合、さらに遮光効果を高めることができる。
【００４５】
また、図７（Ａ）及び図７（Ｂ）に示すように、各スラット３の支持部４の中央部にラダーコード７を受け入れる溝４１を形成してもよい。この場合、スラット３を閉状態とすると、ラダーコード７のうち前側コード９が、スラット３の溝４１を経て貫通孔４２を通る。この際、さらに、支持部４の上面であって、溝４１の両側部分に、幅方向に延在するリブ４３を形成するようにしてもよい。
【００４６】
このように構成することにより、スクリーン使用状態において、ラダーコード７の前側コード９が溝４１に受け入れられて入り込み、スラット３の支持部４と平面部５とが重なり合ったときに、ラダーコード７が邪魔にならず、よりスクリーン１の平面性を確保することができる。さらに、リブ４３を遮光手段として設けることにより、スクリーン使用状態において、支持部４と平面部５との間から入射するわずかな光も遮光することができ、スクリーン１の遮光性を著しく高めることができる。
【００４７】
さらに、上記実施形態においては、横糸１０ａをスラット３の支持部４の前面側に配置しさらに横糸１０ｂをスラット３の支持部４の裏面側に配置するようにしたが、本発明はこれに限定されない。
【００４８】
図８（Ａ）に示すように、スラット３の支持部４の裏面側すなわち下面側に配置される横糸１０ｂのみを設け、横糸１０ｂをスラット３の短手方向両端部分（後側コード８の近傍部分及び前側コード９の近傍部分）で支持部４の裏面４ｒにテープ４４で固着するようにしてもよい。このように構成することにより、上側の横糸１０ａを設けなくても、支持部４を後側コード８と前側コード９とで間接的に確実に支持することができる。
【００４９】
また、図８（Ｂ）に示すように、スラット３の支持部４の裏面側すなわち下面側に配置される横糸１０ｂのみを設け、横糸１０ｂをスラット３の短手方向両端部分（後側コード８の近傍部分及び前側コード９の近傍部分）で支持部４の裏面４ｒにクリップ４５により固着するようにしてもよい。
【００５０】
なお、スラット３の支持部４の表面側すなわち上面側に配置される横糸１０ａのみを設け、この横糸１０ａとスラット３の短手方向両端部分（後側コード８の近傍部分及び前側コード９の近傍部分）とを、固定するようにしてもよい。いずれも場合においても、横糸を用いてラダーコード７とスラット３とを間接的に連結し、ラダーコード７によって支持部４を確実に支持することが可能である。
【００５１】
さらに、上記実施形態においては、横糸１０ａ，１０ｂを用いてラダーコードとスラット３とを間接的に連結して、ラダーコード７によって支持部４を支持する構成を説明したが、本発明はこれに限定されない。
【００５２】
横糸１０ａ，１０ｂを使用せずに、後側コード８を支持部４の後端部分に直接的に連結し、前側コード９を支持部４の前端部分に直接的に連結させてもよい。例えば、図８（Ｃ）に示すように、後側コード８を支持部４の後端部の貫通孔４ｅに挿通させるとともに孔４ｅ内に充填された接着剤でスラット３に直接的に連結し、前側コード９を支持部４の前端孔４２に挿通させるとともに孔４２内に充填された接着剤でスラット３に直接的に連結するようにしてもよい。このように構成することにより、横糸１０ａ，１０ｂを設けなくても、ラダーコード７によって支持部４を確実に支持することができる。もちろん、ラダーコード７をスラット３に固定するために、樹脂や発泡ゴムを孔４ｅと孔４２に充填してもよい。
【００５３】
さらにまた、ラダーコード７とスラット３との連結方法は、上述した間接的な連結方法と直接的な連結方法とを組み合わせることも可能である。
【００５４】
また、上記実施形態においては、ラダーコード７はスラット３の長手方向において両端と中央部の３箇所に設ける構成としたが、ラダーコード３の長手方向において両端部のみに備える構成とすることもできるし、４箇所以上に設けることもできる。
【００５５】
また、上記実施形態においては、スラット３の支持部４を平面状に形成するようにしたが、図９に示すように、支持部４については曲面状に形成することができる。このように構成しても、スラット３の平面部５により、スクリーン使用状態における平面化を確保することができ、平坦な投射面に良好な画像を投射することができる。
【００５６】
また、上記実施形態では、透過型のプロジェクタに本発明を適用した場合の例について説明したが、本発明は、反射型プロジェクタにも適用することが可能である。ここで、「透過型」とは、液晶パネル等を含む光変調部が光を透過するタイプであることを意味しており、「反射型」とは、光変調部が光を反射するタイプであることを意味している。
【００５７】
上記実施形態では、３つの液晶ライトバルブ３３ｒ，３３ｇ，３３ｂを用いたプロジェクタ装置２の例のみを挙げたが、本発明は、１つの液晶ライトバルブのみを用いたプロジェクタ、２つの液晶ライトバルブを用いたプロジェクタ、或いは、４つ以上の液晶ライトバルブを用いたプロジェクタ装置にも適用可能である。
【図面の簡単な説明】
【００５８】
【図１】本発明に係るプロジェクタシステムの実施形態を示す概略図である。
【図２】本発明に係るスクリーンの実施形態の使用状態における正面図である。
【図３】（Ａ）は、図２に示すスクリーンの開状態を示す一部の側面断面図であり、（Ｂ）は、図２に示すスクリーンの閉状態を示す一部の側面断面図である。
【図４】図３（Ａ）に示す開状態のスクリーンを説明する斜視図である。
【図５】図１に示すプロジェクタ装置のブロック図である。
【図６】本発明の第１の変形例を示す一部の側面図である。
【図７】（Ａ）、（Ｂ）は、本発明の第２の変形例を示す一部の側面図及び正面図である。
【図８】（Ａ）〜（Ｃ）は本発明の第３の変形例を示す側面図である。
【図９】本発明の第４の変形例を示す側面図である。
【符号の説明】
【００５９】
１…スクリーン、２…プロジェクタ装置、３…スラット、４…支持部、５…平面部、６…段部、７…ラダーコード、１０ａ，１０ｂ…横糸、１１…上部支持板、１２…荷重板、１３…ロープ、１４…開閉棒、２０…プロジェクタ本体、２１…主光学装置、  ２２…電源装置、２４…回路装置、  ２５…投射レンズ、４０…シール部材、４１…溝、４２…貫通孔、４３…リブ、４４…テープ、４５…クリップ。
【図１】
2008197202.tif 000003
【図２】
2008197202.tif 000004
【図３】
2008197202.tif 000005
【図４】
2008197202.tif 000006
【図５】
2008197202.tif 000007
【図６】
2008197202.tif 000008
【図７】
2008197202.tif 000009
【図８】
2008197202.tif 000010
【図９】
2008197202.tif 000011